(57)【要約】【課題】両端針の接続部材をホルダーに、嵌合で取り付ける方向と嵌合を取り外す方向の両方向に回転でき、廃棄するときに両端針２をホルダー２０から安全に取り外して廃棄することができ、廃棄する際に嵩張らない採血器具を提供すること。【解決手段】ホルダー２０は末端側の内部に嵌合突起部２０ＫＴを形成している。接続部材１０は針基嵌合部１１を有する。針基嵌合部１１は外部に操作部１２と嵌合部１３とを有する。嵌合部１３は側部方向に断続的に複数箇所形成している。嵌合部１３は一方向に嵌合溝１４を形成している。嵌合部１３は、一方向に回転してホルダー２０の嵌合突起部２０ＫＴと嵌合する。嵌合部１３は、反対側の一方向に回転してホルダー２０の嵌合突起部２０ＫＴとの嵌合を解除できる。両端針２は、接続部材１０とともにホルダー２０から取り外すことができる。【選択図】図４
2014061204.tif 000002
【特許請求の範囲】
【請求項１】
両端針（２）、接続部材（１０）及びホルダー（２０）を有し、
前記両端針（２）は、針基（２Ｈ）と、末端針（２ＤＥ）及び基端針（２ＰＥ）とを有し、
前記針基（２Ｈ）は、基端側針基（２ＨＰＥ）に基端側針基装着部（２ＨＰＥＳ）を有し、
前記ホルダー（２０）は、ホルダー本体（２０Ｈ）を有し、
当該ホルダー本体（２０Ｈ）は、末端ＤＥに末端側開口部（２０ＤＥＯ）を形成し、
前記末端側開口部（２０ＤＥＯ）を形成した内部に嵌合突起部（２０ＫＴ）を形成し、
当該嵌合突起部（２０ＫＴ）は、前記末端側開口部２０ＤＥＯの内部に沿うように、断続的に複数箇所形成し、
前記接続部材（１０）は、針基嵌合部（１１）を有し、当該針基嵌合部（１１）は、内部に装着部（１１ＮＫ）を形成し、
前記針基嵌合部（１１）は、外部に操作部（１２）と嵌合部（１３）とを有し、
前記針基嵌合部（１１）は、末端ＤＥ側に操作部（１２）を形成し、基端ＰＥ側に嵌合部（１３）を形成し、
前記操作部（１２）は、略翼状に形成し、針基嵌合部（１１）の側部Ｓ方向に沿うように断続的に複数箇所形成し、
前記嵌合部（１３）は、針基嵌合部（１１）の側部Ｓ方向に見て、断続的に複数箇所形成し、
当該嵌合部（１３）は、第１側部Ｓ１方向に嵌合溝（１４）を形成し、
前記両端針（２）の基端側針基装着部（２ＨＰＥＳ）は、第１側部Ｓ１方向のみ回転して、前記接続部材（１０）の針基装着部（１１ＮＫ）に接続でき、
前記接続部材（１０）は、第１側部Ｓ１方向に回転して、前記嵌合部（１３）は、前記ホルダー（２０）の嵌合突起部（２０ＫＴ）と嵌合でき、
前記接続部材（１０）は、第２側部Ｓ２方向に回転して、前記嵌合部（１３）は、前記ホルダー（２０）の嵌合突起部（２０ＫＴ）との嵌合を解除でき、
前記両端針（２）を前記接続部材（１０）とともにホルダー（２０）から取り外すことができる、ことを特徴とする採血器具（１）。
【請求項２】
前記接続部材（１０）の嵌合部（１３）は、側部Ｓ方向に向けて湾曲した突状であり、
当該嵌合部（１３）に形成した嵌合溝（１４）は、側部Ｓ方向に向けて湾曲した形状を有し、
前記ホルダー（２０）の嵌合突起部（２０ＫＴ）は、側部Ｓ方向に向けて湾曲した突状である、
ことを特徴とする請求項１に記載の採血器具（１）。
【請求項３】
前記嵌合溝（１４）は、前記嵌合部（１３）の第１側部Ｓ１方向から略中央部に至るまで形成し、当該嵌合部（１３）は略中央部に嵌合壁（１４Ｗ）を有し、
当該嵌合壁（１４Ｗ）に、前記ホルダー（２０）の嵌合突起部（２０ＫＴ）の側部Ｓ端部が衝突することにより、前記接続部材（１０）は、前記ホルダー（２０）に嵌合される、ことを特徴とする請求項１または請求項２に記載の採血器具（１）。
【請求項４】
前記両端針（２）の基端側針基装着部（２ＨＰＥＳ）は、右螺子状に形成し、
前記接続部材（１０）の針基嵌合部（１１）の装着部（１１ＮＫ）も、右螺子状に形成した、ことを特徴とする請求項１から請求項３のいずれか１項に記載の採血器具（１）。
【請求項５】
前記接続部材（１０）の操作部（１２）の側部Ｓ方向の大きさ（ＳＬ）は、前記ホルダー（２０）の末端ＤＥ側の半径の大きさ（２０ＤＥＲ）と実質的に同じかまたはこれより若干小さく形成した、ことを特徴とする請求項１から請求項４のいずれか１項に記載の採血器具（１）。
【請求項６】
前記両端針（２）は、前記針基（２Ｈ）の末端側針基（２ＨＤＥ）に、末端側針基リブ（２ＨＤＥＲ）を形成し、
当該末端側針基リブ（２ＨＤＥＲ）の一つを末端側針基異径リブ（２ＨＤＥＲ１）
に形成し、
前記末端針（２ＤＥ）の鋭利な末端ＤＥ側の刃面の向きが識別できるよう形成した、
ことを特徴とする請求項１から請求項５のいずれか１項に記載の採血器具（１）。
【発明の詳細な説明】
【技術分野】
【０００１】
本発明は、血液検査のために血液試料を、採取する採血器具（「採血管セット」ともいう）に関する。
具体的には、両端針（採血針ともいう）とホルダー（採血管ホルダーともいう）とを有し、採血管への採血が可能で、使用後（採血終了後）は、使用者（医師、看護師）が、針および針基に触れることなく、両端針をホルダーから安全に分離して、廃棄することができる採血器具に関するものである。
【背景技術】
【０００２】
現在市場にある採血器具は、採血管ホルダーと両端針との接続を強固にするために両者をネジによる螺合ないし嵌合構造により接続した製品が多い。当該製品は、採血管ホルダーと両端針とを容易に分離できないため、使用後の使用者（医師、看護師）への誤刺を防止するために両端針の露出した側の針に再キャップをする必要がある。
この再キャップ操作が、使用済み針（露出した側の針）の誤刺および血液被曝の原因となっている。
【０００３】
そこで、採血管ホルダーに嵌合した両端針をワンタッチで、使用者（医師、看護師）が針および針基に触れることなく採血管ホルダーから分離・廃棄が可能な構造の採血器具が開発されている。
このような、採血器具に関する先行技術の一例として、特許文献１に、以下のような、採血器具の発明が開示されている。
【０００４】
特許文献１の医療用針装置１０（採血器具）は、針アセンブリ１２と、中空の針アセンブリ・ホルダ１４と、針アセンブリ１２をホルダー１４に結合させる一方向に回転可能なカラー１６とからなる。
組み立てられた医療用針装置１０は、針アセンブリ１２とカラー１６が、逆の回転方向ではなく、一方の回転方向にのみ回転できるようにしている。
カラー１６は、一方向（ホルダー１４への取り付け方向）のみしか回転できないようにするために、二つのディスク（第１ディスク部分７６及び大きな直径の第２ディスク部分７８）を有する。第２ディスク部分７８は、複数のロック用爪８０を一体成形し、ホルダ本体４０の壁５２の内面５４上に形成されたラチェット歯７０に係合するように形成している。
【０００５】
このように形成したロック用爪８０の外向き面８６とラチェット歯７０の内向き面８８との間の摺動可能な接触により、ホルダ１４に対する針アセンブリ１２とカラー１６の一方向の回転運動を可能にしている。さらに一方向の回転運動を可能にするため、圧縮要素（伸縮バネ１３０ｅ）を第１ディスク部分７６の周囲に配置している。
医療用針装置１０全体は、採血又は他の体液採集処理の終わりに廃棄される。使用者（医師、看護師）は、廃棄の際に、針アセンブリ１２をホルダ１４から取り除こうとする操作を行うが、医療用針装置１０は、この操作を行わなくてよいので、使用者（医師、看護師）が針アセンブリ１２による不慮の針刺し傷の危険性を減少させることができる。
【先行技術文献】
【特許文献】
【０００６】
【特許文献１】特開２００４−３０５７４９号公報（段落［００２４］、［００３１］〜［００３２］、［００４３］、図１〜図１１、図２７〜図２９）
【発明の概要】
【発明が解決しようとする課題】
【０００７】
特許文献１に記載の発明は、
（ａ）針アセンブリ１２は、ホルダ１４に接続した後は、取り外すことができない形状・構造に形成している。このため医療用針装置１０（採血器具）は、使用後、廃棄する際に、針アセンブリ１２とホルダ１４を接続した状態で廃棄しなければならないので、廃棄する際に嵩張る。
（ｂ）ホルダ１４に対する針アセンブリ１２とカラー１６の一方向の回転運動を可能にするため、カラー１６とホルダ本体４０の壁５２の形状・構造を、前記のよう複雑な形状にしなければならない。
（ｃ）（ｂ）のため成形が困難であり、成形ないし成形後に予期せぬ歪等が発生すれば作動が困難となる。またコスト高にもなる。
等が挙げられる。
【課題を解決するための手段】
【０００８】
本発明者は、以上の課題を解決するために鋭意検討を重ねた結果、
操作部材の形態、取り付け機構を改良した以下の新規な採血器具の発明に到達した。
【０００９】
［１］本発明は、両端針（２）、接続部材（１０）及びホルダー（２０）を有し、
前記両端針（２）は、針基（２Ｈ）と、末端針（２ＤＥ）及び基端針（２ＰＥ）とを有し、
前記針基（２Ｈ）は、基端側針基（２ＨＰＥ）に基端側針基装着部（２ＨＰＥＳ）を有し、
前記ホルダー（２０）は、ホルダー本体（２０Ｈ）を有し、
当該ホルダー本体（２０Ｈ）は、末端ＤＥに末端側開口部（２０ＤＥＯ）を形成し、
前記末端側開口部（２０ＤＥＯ）を形成した内部に嵌合突起部（２０ＫＴ）を形成し、
当該嵌合突起部（２０ＫＴ）は、前記末端側開口部２０ＤＥＯの内部に沿うように、断続的に複数箇所形成し、
前記接続部材（１０）は、針基嵌合部（１１）を有し、当該針基嵌合部（１１）は、内部に装着部（１１ＮＫ）を形成し、
前記針基嵌合部（１１）は、外部に操作部（１２）と嵌合部（１３）とを有し、
前記針基嵌合部（１１）は、末端ＤＥ側に操作部（１２）を形成し、基端ＰＥ側に嵌合部（１３）を形成し、
前記操作部（１２）は、略翼状に形成し、針基嵌合部（１１）の側部Ｓ方向に沿うように断続的に複数箇所形成し、
前記嵌合部（１３）は、針基嵌合部（１１）の側部Ｓ方向に見て、断続的に複数箇所形成し、
当該嵌合部（１３）は、第１側部Ｓ１方向に嵌合溝（１４）を形成し、
前記両端針（２）の基端側針基装着部（２ＨＰＥＳ）は、第１側部Ｓ１方向のみ回転して、前記接続部材（１０）の針基装着部（１１ＮＫ）に接続でき、
前記接続部材（１０）は、第１側部Ｓ１方向に回転して、前記嵌合部（１３）は、前記ホルダー（２０）の嵌合突起部（２０ＫＴ）と嵌合でき、
前記接続部材（１０）は、第２側部Ｓ２方向に回転して、前記嵌合部（１３）は、前記ホルダー（２０）の嵌合突起部（２０ＫＴ）との嵌合を解除でき、
前記両端針（２）を前記接続部材（１０）とともにホルダー（２０）から取り外すことができる採血器具（１）を提供する。
【００１０】
［２］本発明は、前記接続部材（１０）の嵌合部（１３）は、側部Ｓ方向に向けて湾曲した突状であり、
当該嵌合部（１３）に形成した嵌合溝（１４）は、側部Ｓ方向に向けて湾曲した形状を有し、
前記ホルダー（２０）の嵌合突起部（２０ＫＴ）は、側部Ｓ方向に向けて湾曲した突状である[１]に記載の採血器具（１）を提供する。
［３］本発明は、前記嵌合溝（１４）は、前記嵌合部（１３）の第１側部Ｓ１方向から略中央部に至るまで形成し、当該嵌合部（１３）は略中央部に嵌合壁（１４Ｗ）を有し、
当該嵌合壁（１４Ｗ）に、前記ホルダー（２０）の嵌合突起部（２０ＫＴ）の側部Ｓ端部が衝突することにより、前記接続部材（１０）は、前記ホルダー（２０）に嵌合される［１］または［２］に記載の採血器具（１）を提供する。
［４］本発明は、前記両端針（２）の基端側針基装着部（２ＨＰＥＳ）は、右螺子状に形成し、
前記接続部材（１０）の針基嵌合部（１１）の装着部（１１ＮＫ）も、右螺子状に形成した［１］から［３］のいずれか１に記載の採血器具（１）を提供する。
【００１１】
［５］本発明は、前記接続部材（１０）の操作部（１２）の側部Ｓ方向の大きさ（ＳＬ）は、前記ホルダー（２０）の末端ＤＥ側の半径の大きさ（２０ＤＥＲ）と実質的に同じかまたはこれより若干小さく形成した［１］から［４］のいずれか１に記載の採血器具（１）を提供する。
［６］本発明は、前記接続部材（１０）の操作部（１２）の側部Ｓ方向の大きさ（ＳＬ）は、前記ホルダー（２０）の末端ＤＥ側の半径の大きさ（２０ＤＥＲ）と実質的に同じかまたはこれより若干小さく形成した［１］から［５］のいずれか１に記載の採血器具（１）を提供する。
【発明の効果】
【００１２】
本発明の採血器具は、
（１）両端針２は接続部材１０の針基２Ｈに、接続できる方向のみ回転できるように形成し、接続部材１０は、ホルダー２０に、嵌合により取り付ける方向と、嵌合を取り外す方向の両方向に回転できるように形成しているので、廃棄するときに、両端針２をホルダー２０から安全に取り外して廃棄することができ、廃棄する際に嵩張らない。
（２）両端針２は接続部材１０とともに、ホルダー２０の末端ＤＥ方向から離脱し、専用の使用済み針回収容器内に廃棄される。使用済み針回収容器は、接続部材１０と同形状の開口部を有し、廃棄するときに両端針２および接続部材１０を挿入して嵌合を取り外す方向に回転させることで、使用者（医師、看護師）自身は、片手で安全に、使用済み針（両端針と接続部材）を廃棄することができる。
（３）接続部材１０は、ホルダー２０に、嵌合により取り付ける方向と、嵌合を取り外す方向の両方向に回転できるように形成しているので、（特許文献１に記載の発明のように、カラー１６とホルダ本体４０の壁５２等の形状・構造を複雑な形状にすることなく）接続部材１０とホルダー２０の嵌合構造をコンパクトにすることができ、操作性も良好である。またコスト的にも有利である。
【図面の簡単な説明】
【００１３】
【図１】図１は、本発明の採血器具の全体斜視図（組み立て後の状態）である。末端ＤＥ方向で、第１側部Ｓ１方向かつ上部Ｕ方向から見た全体斜視図である。
【図２】図２は、本発明の採血器具の第１側部Ｓ１方向から見た側面図である。
【図３】図３は、本発明の採血器具の図２の長手方向の縦断面図である。
【図４】図４は、本発明の採血器具の全体斜視図（組み立て前の状態）である。末端ＤＥ方向で、第１側部Ｓ１方向かつ上部Ｕ方向から見た全体斜視図である。
【図５】図５は、図４を第１側部Ｓ１方向から見た側面図である。
【図６】図６は、本発明の採血器具のホルダーの全体図（組み立て前の状態、両端針２を、操作部材１０に装着した状態）である。末端ＤＥ方向で、第１側部Ｓ１方向かつ上部Ｕ方向から見た全体斜視図である。
【図７】図７は、図４を第１側部Ｓ１方向から見た側面図である。
【図８】図８は図１の一部拡大図（両端針２の末端側針基２ＨＤＥ、操作部材１０、ホルダー２０の末端ＤＥ側）である。
【図９】図９は、操作部材１０の全体図である。末端ＤＥ方向で、第１側部Ｓ１方向かつ上部Ｕ方向から見た全体斜視図である。
【図１０】図１０は、接続部材１０の全体図である。基端ＰＥ方向で、第１側部Ｓ１方向かつ上部Ｕ方向から見た全体斜視図である。
【図１１】図１１は、図９を第１側部Ｓ１方向から見た側面図である。
【図１２】図１２は、図９を末端ＤＥ方向から見た側面図である。
【図１３】図１３は、図９を基端ＰＥ方向から見た側面図である。
【図１４】図１４は、ホルダー２０の全体図である。末端ＤＥ方向で、第１側部Ｓ１方向かつ上部Ｕ方向から見た全体斜視図である。
【図１５】図１５は、ホルダー２０の全体図である。基端ＰＥ方向で、第１側部Ｓ１方向かつ上部Ｕ方向から見た全体斜視図である。
【図１６】図１６は、図１６を第１側部Ｓ１方向から見た側面図である。
【図１７】図１７（Ａ）は、図１４を末端ＤＥ方向から見た側面図である。図１７（Ｂ）は、図１４を基端ＰＥ方向から見た側面図である。
【図１８】図１８は、本発明の採血器具の両端針の全体斜視図である。末端ＤＥ方向で、第１側部Ｓ１方向かつ上部Ｕ方向から見た全体斜視図である。
【図１９】図１９は、本発明の採血器具の両端針の全体斜視図である。基端ＰＥ方向で、第１側部Ｓ１方向かつ上部Ｕ方向から見た全体斜視図である。
【図２０】図２０は、本発明の採血器具の両端針の側面図である。（Ａ）は末端ＤＥ方向から見た側面図である。（Ｂ）は基端ＰＥ方向から見た側面図である。（Ｃ）は第１側部Ｓ１方向から見た側面図である。
【図２１】図２１は、両端針の基端針に装着されるシースＳＨの全体図である。（Ａ）は、末端ＤＥ方向で、第１側部Ｓ１方向かつ上部Ｕ方向から見た全体斜視図である。（Ｂ）は、基端ＰＥ方向で、第１側部Ｓ１方向かつ上部Ｕ方向から見た全体斜視図である。（Ｃ）は、末端ＤＥ方向から見た側面図である。（Ｄ）は、第１側部Ｓ１方向から見た側面図である。（Ｅ）は、基端ＰＥ方向から見た側面図である。
【発明を実施するための形態】
【００１４】
以下、図面を参照しながら本発明を詳細に説明する。
以下、本発明を明確に説明するため、次の定義をおく。
（定義１）本発明の採血器具において、「第一の状態」とは、図１に示すように、両端針２を、ホルダー２０に装着した状態を意味する。
【００１５】
（定義２）図６に示すように、「第二の状態」とは、両端針２と接続部材１０が、ホルダー２０から離脱した状態を意味する。
（定義３）「移行状態」とは、「第一の状態」から「第二の状態」へ移行する途中の状態を意味する。
（定義４）「移行開始状態」とは、「第一の状態」から「第二の状態」へ移行を開始する初期の状態を意味する。
（定義５）「移行終了状態」とは、「第一の状態」から「第二の状態」へ移行を終了する間際の状態を意味する。
（定義６）本発明で、「末端ＤＥ（側または方向）」とは、図１に示すように、両端針の鋭利な尖端側の端部を意味する。
（定義７）「基端ＰＥ（側または方向）」とは、図１に示すように、「末端ＤＥ（側または方向）」と反対側の端部を意味する。さらにいえば、ホルダー２０のフランジ２０Ｆ側の端部を意味する。
【００１６】
（定義８）「水平軸線ＨＬ（方向）」とは、図１に示すように、採血器具１が長手方向に延びる方向（図の破線参照）を意味する。なお説明で必要な場合は、長手Ｌ方向の水平軸線を「ＨＬＬ」、側部Ｓ方向の水平軸線を「ＨＬＳ」とそれぞれ区別して記載する。
（定義９）「垂直軸線ＶＬ（方向）」とは、図１に示すように、長手方向と略垂直に交差して延びる方向（図の破線参照）を意味する。
（定義１０）「第１側部Ｓ１（側または方向）」とは、図１に示すように、例えばホルダー２０の右側端部の方向（図の破線矢印参照）を意味する。
また図４に示すように、両端針２の基端側針基装着部２ＨＰＥＳと、両端針接続部材１０の針基装着部１１ＮＫを、「右（側または方向）」に回転する方向（図の矢印参照）を意味する。
（定義１１）「第２側部Ｓ２（側または方向）」とは、図１に示すように、例えばホルダー２０の左側端部の方向（図の破線矢印参照）を意味する。
（定義１２）「上部Ｕ（側または方向）」とは、図１に示すように、例えばホルダー２０の上部方向（図の破線矢印参照）を意味する。
（定義１３）「下部Ｄ（側または方向）」とは、図１に示すように、例えばホルダー２０の下部方向（図の破線矢印参照）を意味する。
（定義１４）「長手方向」とは、「採血器具」全体の長手方向［水平軸線ＨＬ（方向）］を意味する）。
（定義１５）単に「Ｓ部（側または方向）」とは、「第１側部Ｓ１（側または方向）」、
「第２側部Ｓ２（側または方向）」、「上部Ｕ（側または方向）」、「下部Ｄ（側または方向）」、これらの間の全ての方向を意味する。
（各構成部品の名称の位置・配置等の方向性を示す符号の記載について）
本発明の図面及び発明の説明の中で、例えば図１２に例示するように、接続部材１０の３つの操作部１２、嵌合部１３の位置を、示すため、「上部Ｕ（側または方向）」
を「１２時（側または方向）」、「下部Ｄ（側または方向）」を「６時（側または方向）」、
「第１側部Ｓ１（側または方向）」を「３時（側または方向）」、「第２側部Ｓ２（側または方向）」を「９時（側または方向）」、「第１側部Ｓ１（側または方向）」と「下部Ｄ（側または方向）」との間を、「４．５時（側または方向）」、「第２側部Ｓ２（側または方向）」と「下部Ｄ（側または方向）」との間を、「７．５時（側または方向）」と記載した。
なおこれらの操作部１２、嵌合部１３並びにこれら以外の各構成部品の名称で、「第１側部Ｓ１側」等の位置・配置等の方向性を示す符号は、発明の理解ができ、必要と認められる範囲内で、図面及び発明の説明の中で一部のみについて記載した。
【００１７】
［採血器具１］          
本発明の採血器具１について、以下、図面を参照しながら説明する。            
本発明の採血器具１は、図１、図４に示すように、両端針２、両端針接続部材１０、ホルダー２０を有する。
採血器具１は、末端ＤＥ側から基端ＰＥ側に向けて、両端針２、ホルダー２０を配置し、ホルダー２０の末端ＤＥ側に、両端針接続部材１０（以下、単に「接続部材１０」と記載する場合がある）を装着している。
接続部材１０の末端ＤＥ側に両端針２の針基２Ｈ（基端側針基２ＨＰＥ）を装着している。
以下これらの各部材の形態、機能は、以下のとおりである。
【００１８】
[両端針２]
両端針２は、図１８〜図２０に示すように、針基２Ｈ、末端針２ＤＥ、基端針２ＰＥを有する。
針基２Ｈは、略中央部にフランジ２ＨＦを有する。フランジ２ＨＦの末端ＤＥ側に末端側針基２ＨＤＥを形成し、基端ＰＥ側に基端側針基２ＨＰＥを形成している。
末端側針基２ＨＤＥは、末端針２ＤＥの基端ＰＥ側を装着している。
末端針２ＤＥの鋭利な末端（刃面）は、末端ＤＥ側に位置している。
基端側針基２ＨＰＥは、基端針２ＰＥの末端ＤＥ側を装着している。
基端側針基２ＨＰＥは、基端ＰＥ側に、シース装着部２ＳＨを形成している。
シース装着部２ＳＨは、いわゆる「略円環状」に形成している。
末端側針基２ＨＤＥは、外周（側部Ｓ方向）に複数のリブ２ＨＤＥＲ（図１８〜図２０の例示では四箇所）を形成している。
これらのリブ２ＨＤＥＲの中の一つに、末端針２ＤＥの刃面の方向を解りやすくするための異径リブ２ＨＤＥＲ１を形成している。
異径リブ２ＨＤＥＲ１は、図１８〜図２０に示すように、末端側針基２ＨＤＥの長手Ｌ方向全域（フランジ２ＨＦから末端ＤＥ側まで、側部Ｓ方向から見て略矩形状）に形成し、他のリブ２ＨＤＥＲと区別している。他のリブ２ＨＤＥＲは、末端側針基２ＨＤＥの長手Ｌ方向の途中まで（フランジ２ＨＦから末端ＤＥ側の途中まで、側部Ｓ方向から見て略半円状）に形成している。
基端側針基２ＨＰＥは、外部（外周、外側壁部、側部Ｓ方向）に装着部２ＨＰＥＳを形成している。装着部２ＨＰＥＳはいわゆる「螺子状」に形成し、「螺合部」ともいう。
装着部２ＨＰＥＳは、図４に示すように、（後述する）（両端針接続部材１０の）針基装着部１１ＮＫに、第１側部Ｓ１方向に回転して螺合できる形状（右螺子）に形成している。（第２側部Ｓ２方向には回転しない。）
【００１９】
（シースＳＨ）
シースＳＨは、図２１（Ａ）〜（Ｅ）に示すように、いわゆる「略管状体」の形態を有している。
シースＳＨは、末端ＤＥ側に、フランジ部ＳＨＲを形成している。
シースＳＨは、フランジ部ＳＨＲを、基端針２ＰＥのシース装着部２ＳＨに装着する。
【００２０】
[ホルダー２０]
ホルダー２０は、図１〜図８、図１４〜図１７に例示するように、いわゆる「略円筒状」ないし「略角筒状」（円筒ないし四角筒）に形成している。
ホルダー２０は、末端ＤＥ側に末端側開口部２０ＤＥＯ、基端ＰＥ側に基端側開口部２０ＰＥＯを形成している。
ホルダー２０は、基端ＰＥ側にフランジ２０Ｆを形成している。
【００２１】
ホルダー２０は、図４、図６、図１４、図１７に示すように、末端側開口部２０ＤＥＯを形成した内部（内周、内側壁部、側部Ｓ方向）に嵌合突起部２０ＫＴを形成（突設）している。
嵌合突起部２０ＫＴは、末端側開口部２０ＤＥＯの内部（内周、内側壁部、側部Ｓ方向）に沿うように、断続的に複数箇所形成している。図１７（Ａ）の例示では、３時方向、７．５時方向及び１０．５時方向の三箇所に形成（突設）している。
嵌合突起部２０ＫＴは、いわゆる「略矩形を側部Ｓ方向に湾曲させた形状」に形成（突設）している。
【００２２】
[両端針接続部材１０]
接続部材１０は、図１〜図１３に例示するように、針基嵌合部１１を有する。針基嵌合部１１は、内部（内周、内側壁部、側部Ｓ方向）に装着部１１ＮＫを形成している。
針基嵌合部１１は、外部（外周、外側壁部、側部Ｓ方向）に操作部１２と嵌合部１３とを有する。
針基嵌合部１１は、末端ＤＥ側に操作部１２を形成し、基端ＰＥ側に嵌合部１３を形成している。
針基嵌合部１１は、いわゆる「略円筒状」に形成している。
操作部１２は、いわゆる「略翼状」に形成している。
操作部１２は、図１２に例示するように、針基嵌合部１１の側部Ｓ方向に見て、複数箇所、図の例示では、１２時方向、４．５時方向及び７．５時方向の三箇所に形成（突設）している。
操作部１２は、側部Ｓ方向の大きさ：ＳＬは、ホルダー２０の末端ＤＥ側の半径の大きさ：２０ＤＥＲ（図１６参照）と実質的に同じかまたはこれより若干小さく形成している。
側部Ｓ方向の長さ：ＳＬとは、図１２に示すように、操作部１０の中心１０Ｃから、側部Ｓ方向の末端までの長さを意味する。
これにより、使用者（医師、看護師）自身は、片手で持ちやすく、回転方向にも力を加えやすく、操作性が良好となる。
両端針２は接続部材１０とともに、専用の使用済み針回収容器（接続部材１０と同形状（図１２側面図形状）の穴空き容器）に廃棄するときに、すみやかに廃棄することができる。
【００２３】
嵌合部１３は、針基嵌合部１１の側部Ｓ方向に見て、断続的に複数箇所形成している。図の例示では、１２時方向、４．５時方向及び７．５時方向の三箇所形成している。
嵌合部１３は、いわゆる「略矩形を側部Ｓ方向に湾曲させた形状」に形成（突設）している。
嵌合部１３は、第１側部Ｓ１方向（側）に、嵌合溝１４を形成している。
嵌合溝１４もいわゆる「略矩形を側部Ｓ方向に湾曲させた形状」に形成している。
嵌合溝１４は、側部Ｓ方向に見て、嵌合部１３の第１側部Ｓ１方向から略中央部まで形成している。当該略中央部から反対側の第２側部Ｓ２端部までは、「壁」となっっている。
すなわち嵌合部１３は略中央部に嵌合壁１４Ｗを有し、当該嵌合壁１４Ｗに、ホルダー２０の嵌合突起部２０ＫＴの側部Ｓ端部が衝突することにより、接続部材１０は、ホルダー２０に嵌合される。
これにより接続部材１０は、図４に例示するように、第１側部Ｓ１方向（側）［右側方向］に回転することにより、ホルダー２０の嵌合突起部２０ＫＴと嵌合することができる。
また接続部材１０は、図４に例示するように、第２側部Ｓ２方向（側）［左側方向］に回転することにより、ホルダー２０の嵌合突起部２０ＫＴから嵌合を外す（解除）することができる。
【００２４】
針基嵌合部１１は、内部（内周、内側壁部、側部Ｓ方向）に装着部１１ＮＫを形成している。装着部１１ＮＫはいわゆる「螺子状」に形成し、「螺合部」ともいう。
装着部１１ＮＫは、図４に示すように、（両端針２の）基端側針基装着部２ＨＰＥＳを、第１側部Ｓ１方向（右方向）に回転して螺合できる形状（右螺子）に形成している。
【００２５】
（採血器具の組立）
以上説明した本発明の採血器具１の両端針２、接続部材１０、ホルダー２０の各部材の組立方法の一例について説明する。
（１）図４に示すように、両端針２の針基２Ｈを片方の手で持ち、他方の手で接続部材１０の操作部１２を持って、両端針２（の基端側針基２ＨＰＥ）の基端側針基装着部２ＨＰＥＳを、第１側部Ｓ１方向（右方向）に回転させながら、接続部材１０の針基装着部１１ＮＫに接続する。
（２）図４、図５〜図７に示すように、ホルダー２０を片方の手で持ち、他方の手で接続部材１０の操作部１２を持って、接続部材１０の嵌合部１３を、第１側部Ｓ１方向（右方向）に回転させながら、嵌合部１３の嵌合溝１４に、ホルダー２０の嵌合突起部２０ＫＴに嵌合する。
図１に示すように、両端針２は、ホルダー２０に装着され、「第一の状態」となる。
【００２６】
（使用方法）
次に採血器具１の使用方法の一例について説明する。
（１）末端針２ＤＥを、第一の状態で患者に穿刺する。両端針２は、針基２Ｈ自体が、接続部材１０の針基嵌合部１１と強固に接続［螺号（螺子嵌合）］しているため穿刺操作を安定して行うことができる。
（２）ホルダー２０の基端側開口部２０ＰＥＯから採血管（図示せず）を挿入し、基端針２ＰＥ（シースＳＨを装着した状態）を、採血管の口部に穿刺して、採血を行う。
（３）採血終了後、図１〜図３の（「第一の状態」）［両端針２をホルダー２０に装着した状態］から、ホルダー２０を片方の手で持ち、他方の手で接続部材１０の操作部１２を持って、接続部材１０の嵌合部１３を、第２側部Ｓ２方向（左方向）に回転させながら、嵌合部１３の嵌合溝１４から、ホルダー２０の嵌合突起部２０ＫＴを離脱させる。
【００２７】
（４）両端針２は、ホルダー２０の末端ＤＥ方向から離脱し、専用の使用済み針回収容器内に廃棄される。
使用済み針回収容器は、接続部材１０と同形状の開口部を有し、廃棄するときに両端針２および接続部材１０を挿入して嵌合を取り外す方向に回転させることで、使用者（医師、看護師）自身は、片手で安全に、使用済み針（両端針と接続部材）を廃棄することができる。
本発明の接続部材１０は、操作部１２が針基嵌合部１１と一体成形され、針基嵌合部１１は、操作部１２の動きに協働するので、使用者（医師、看護師）自身が行う操作部材のアクションのみによって作動する。このため特許文献１に記載の発明のように、圧縮要素（伸縮バネ１３０ｅ）にたよらないので信頼性が高い。
【００２８】
［各部品の材料、製法等］
両端針２の末端針２ＤＥと基端針２ＰＥは、一本のＳＵＳ製パイプの両端を加工して作製した。
針基２Ｈはポリプロピレン製で、射出成形により作製した。
両端針２は、基端針２ＰＥ側の刃先からポリプロピレン製針基２Ｈに挿入して、接着剤により接着した。
接続部材１０とホルダー２０は、ポリプロピレン製で、射出成形により作製した。
シースＳＨは、合成ゴム製でプレス成形により作製した。
【符号の説明】
【００２９】
１        採血器具
２        両端針
２ＤＥ    末端針
２ＰＥ    基端針
２Ｈ      針基
２ＨＤＥ      末端側針基
２ＨＤＥＲ    末端側針基リブ
２ＨＤＥＲ１  末端側針基異径リブ      
２ＨＰＥ      基端側針基
２ＨＰＥＳ    基端側針基装着部
２ＨＦ        フランジ
１０      両端針接続部材
１１      針基嵌合部
１１ＮＫ  針基装着部
１２      操作部
１３      嵌合部  
１４      嵌合溝
１４Ｗ    嵌合壁
２０        ホルダー
２０Ｈ      ホルダー本体
２０ＫＴ    嵌合突起部
２０ＤＥＯ  末端側開口部
２０ＰＥＯ  基端側開口部
２０Ｆ      フランジ
ＳＨ        シース
ＳＨＲ      シースフランジ
【図１】
2014061204.tif 000003
【図２】
2014061204.tif 000004
【図３】
2014061204.tif 000005
【図４】
2014061204.tif 000006
【図５】
2014061204.tif 000007
【図６】
2014061204.tif 000008
【図７】
2014061204.tif 000009
【図８】
2014061204.tif 000010
【図９】
2014061204.tif 000011
【図１０】
2014061204.tif 000012
【図１１】
2014061204.tif 000013
【図１２】
2014061204.tif 000014
【図１３】
2014061204.tif 000015
【図１４】
2014061204.tif 000016
【図１５】
2014061204.tif 000017
【図１６】
2014061204.tif 000018
【図１７】
2014061204.tif 000019
【図１８】
2014061204.tif 000020
【図１９】
2014061204.tif 000021
【図２０】
2014061204.tif 000022
【図２１】
2014061204.tif 000023